(57)【要約】【課題】  立寄り客でも気軽に利用することができ、貸出用記録媒体を紛失しても本人以外の者による貸出用記録媒体の使用を禁止できるような貸出用記録媒体管理システムを提供し、快適性と安全性とを向上して利用者の満足度を向上させる。【解決手段】  遊技ホールに設置する貸出用記録媒体管理システムのデータ管理装置を、前記貸出用記録媒体の利用に関する利用情報と前記ＩＤ情報とを記憶手段に格納しておき、利用者が使用禁止を希望する貸出用記録媒体について前記利用情報に関してその利用者が記憶している情報の入力を入力手段で入力許容し、入力された情報に該当する前記媒体情報を媒体情報特定手段で特定し、特定した媒体情報に関して使用禁止登録手段で使用禁止できる構成とした。【選択図】    図１
2005323915.tif 000002
【特許請求の範囲】
【請求項１】
ユニークなＩＤ情報を格納した貸出用記録媒体を発行して、該貸出用記録媒体に付与されている価値情報に基づいて遊技機による遊技を許容する遊技ホールに設置し、前記貸出用記録媒体をデータ管理装置により管理する貸出用記録媒体管理システムであって、
前記データ管理装置に、
前記貸出用記録媒体に関する情報である媒体情報として該貸出用記録媒体の利用に関する利用情報と前記ＩＤ情報とを格納する記憶手段と、
利用者が使用禁止を希望する貸出用記録媒体について前記利用情報に関して利用者が記憶している情報の入力を許容する入力手段と、
前記記憶手段に記憶している媒体情報の中から前記入力手段で入力された情報に該当する前記媒体情報を特定する媒体情報特定手段と、
特定した媒体情報に関して使用禁止情報を登録する使用禁止登録手段とを備えた
貸出用記録媒体管理システム。
【請求項２】
前記利用情報を、
前記貸出用記録媒体が利用された日付に関する利用日付情報、
及び、該貸出用記録媒体が利用された装置に関する利用装置情報で構成した
請求項１記載の貸出用記録媒体管理システム。
【請求項３】
前記利用情報として、
前記貸出用記録媒体の利用時刻情報、発行度数情報、及び使用度数情報を設定し、
前記利用装置情報として、貸出用記録媒体を発行した発行機器情報、及び、貸出用記録媒体が使用された使用機器情報を設定した
請求項２記載の貸出用記録媒体管理システム。
【請求項４】
貸出用記録媒体が使用可能な媒体使用機器に、
投入された貸出用記録媒体が使用禁止となっていないか前記データ管理装置の使用禁止情報を確認する使用可否確認手段と、
使用禁止であった場合に、該貸出用記録媒体に記録された価値情報に基づく遊技ができないように使用抑止する使用抑止手段とを備えた
請求項１、２又は３記載の貸出用記録媒体管理システム。
【請求項５】
前記データ管理装置に、使用禁止となっている貸出用記録媒体が使用された場合に報知を行う報知手段を備えた
請求項１から４のいずれか１つに記載の貸出用記録媒体管理システム。
【請求項６】
ユニークなＩＤ情報を格納した貸出用記録媒体を発行して、該貸出用記録媒体に付与されている価値情報に基づいて遊技機による遊技を許容する遊技ホールに設置し、前記貸出用記録媒体をデータ管理装置により管理する貸出用記録媒体管理システムであって、
前記データ管理装置に、
前記貸出用記録媒体に関する情報である媒体情報として該貸出用記録媒体の利用に関する利用情報と前記ＩＤ情報とを格納する記憶手段と、
該記憶手段に記憶している媒体情報の中から使用禁止となっている媒体情報を特定する媒体情報特定手段と、
特定した媒体情報に関して使用許可情報を登録する使用許可登録手段とを備えた貸出用記録媒体管理システム。
【発明の詳細な説明】
【技術分野】
【０００１】
この発明は、例えばパチンコ機やパチスロ機といった遊技機を備えた遊技ホールで貸出用記録媒体を管理するような貸出用記録媒体管理システムに関する。
【背景技術】
【０００２】
従来、遊技機を備えた遊技ホールでは、パチンコ玉やメダルといった遊技媒体を貸し出す際に、プリペイドカードやＩＣコインといった貸出用記録媒体を発行し、該貸出用記録媒体の発行度数に応じて遊技媒体を貸し出す運用が行われている。
【０００３】
この貸出用記録媒体は、紛失するなどして発行を受けた利用者本人以外の者に使用されると、発行された貸出用記録媒体は特定できない為、使用を禁止することができず、結果的に記録されている遊技媒体貸出可能度数が減算されてしまい、発行を受けた利用者には戻って来ないという問題があり、発行を受けた利用者にとって不利益となってしまう。
【０００４】
一方、本人以外の記録媒体の使用を禁止できるものとして、会員登録した利用者に対して会員カードを発行し、この会員カードの使用禁止ができるようにした遊技用システムが提案されている（特許文献１参照）。
【０００５】
しかし、このように会員登録する方法では、利用者自身の個人情報が必要となる上、登録作業が必要なため、旅行者や一元客等の常連客ではない立ち寄り客には、利用をためらわせてしまうという問題があった。
【０００６】
【特許文献１】特開２００３−９３７０８号公報
【発明の開示】
【発明が解決しようとする課題】
【０００７】
この発明は、上述の問題に鑑み、立寄り客でも気軽に利用することができ、貸出用記録媒体の発行を受けた本人以外の利用者による貸出用記録媒体の使用を禁止できるような貸出用記録媒体管理システムを提供し、快適性と安全性とを向上して利用者の満足度を向上させることを目的とする。
【課題を解決するための手段】
【０００８】
この発明は、ユニークなＩＤ情報を格納した貸出用記録媒体を発行し、該貸出用記録媒体に付与されている価値情報に基づいて遊技機による遊技を許容する遊技ホールに設置し、前記貸出用記録媒体をデータ管理装置により管理する貸出用記録媒体管理システムであって、前記データ管理装置に、前記貸出用記録媒体に関する情報である媒体情報として該貸出用記録媒体の利用に関する利用情報と前記ＩＤ情報とを格納する記憶手段と、利用者が使用禁止を希望する貸出用記録媒体について前記利用情報に関して利用者が記憶している情報の入力を許容する入力手段と、前記記憶手段に記憶している媒体情報の中から前記入力手段で入力された情報に該当する前記媒体情報を特定する媒体情報特定手段と、特定した媒体情報に関して使用禁止情報を登録する使用禁止登録手段とを備えた貸出用記録媒体管理システムであることを特徴とする。
【０００９】
前記価値情報は、発行金額、発行度数、又は遊技媒体数等、価値に関する情報で構成することを含み、前記貸出用記録媒体に格納する、あるいはデータ管理装置等の他の装置に前記ＩＤ情報と関連付けて格納することを含む。
【００１０】
前記利用者は、遊技を行う遊技者、及び貸出用記録媒体を購入する購入者等、貸出用記録媒体を利用する者で構成することを含む。  
前記利用は、貸出用記録媒体を用いて利用者が行う行為を指し、貸出用記録媒体の購入、遊技への使用、及び精算を含む。  
前記使用禁止は、利用者が貸出用記録媒体を使う行為の禁止を指し、遊技への使用の禁止、及び精算の禁止を含む。
【００１１】
前記利用情報は、利用日時情報や利用機器情報で構成することを含む。具体的には、利用者が貸出用記録媒体の発行を受けた発行日時情報や発行機器情報、利用者が貸出用記録媒体を使用して遊技媒体の貸し出し等を受けた日時や装置の情報、貸出用記録媒体に記録されている価値量を確認装置で確認した確認日時情報や確認装置情報、利用可能な価値情報として残存している残存価値情報、又はこれらの複数等、貸出用記録媒体の利用に関する情報で構成することを含む。
【００１２】
前記貸出用記録媒体は、無線通信手段と記憶手段とを備えたコイン形状の非接触ＩＣコインやカード形状の非接触ＩＣカード、記憶手段と接触端子とを備えた接触ＩＣコインや接触ＩＣカード、又は磁気記憶手段を備えた磁気カード等、価値情報を記憶可能な媒体で構成することを含む。
【００１３】
前記媒体情報特定手段は、入力手段で入力された情報に基づいて検索を行う検索手段、又は、機器別や日時別に一覧表示した媒体情報からマウスクリックや選択ボタンによる指定を許容する入力手段等、使用禁止する媒体情報を特定できる手段で構成することを含む。
【００１４】
前記使用禁止登録手段は、データ管理装置の記憶手段に格納している媒体情報に使用禁止情報を登録する処理を実行する制御手段、又は、他の装置に使用できない貸出用記録媒体としてＩＤ情報及び使用禁止情報を登録させる処理を実行する制御手段等、登録処理を実行する手段で構成することを含む。
【００１５】
前記構成により、貸出用記録媒体を発行後に取り忘れた利用者や紛失した利用者が、即座に係員等に届け出て、その貸出用記録媒体が他人に不正に使用されないよう使用禁止することができる。
【００１６】
このとき、利用者は予め会員登録していなくても、利用情報によって貸出用記録媒体を特定して使用禁止できるため、旅行者や一元客といった常連以外の立寄り客であっても気軽に遊技できると共に、紛失等に対する安全性を確保することができる。
【００１７】
この発明の態様として、前記利用情報を、前記貸出用記録媒体が利用された日付に関する利用日付情報、及び、該貸出用記録媒体が利用された装置に関する利用装置情報で構成することができる。
【００１８】
これにより、利用者が記憶している利用日付と、貸出用記録媒体を利用した装置とにより、紛失等した貸出用記録媒体を的確に特定して使用禁止することができる。
【００１９】
またこの発明の態様として、前記利用情報に、前記貸出用記録媒体の利用時刻情報、発行度数情報、及び使用度数情報を設定し、前記利用装置情報に、貸出用記録媒体を発行した発行機器情報、及び、貸出用記録媒体が使用された使用機器情報を設定することができる。
【００２０】
前記使用機器情報は、貸出用記録媒体が投入された台間機の情報、あるいは台間機への貸出用記録媒体の投入によって遊技が行われた遊技機の情報に設定することを含む。
【００２１】
前記構成により、利用に関する詳細な情報で貸出用記録媒体を特定することができ、利用者の記憶違い等によって目的の貸出用記録媒体と異なる貸出用記録媒体を誤って使用禁止するといったことを、より確実に防止することができる。
【００２２】
またこの発明の態様として、貸出用記録媒体が使用可能な媒体使用機器に、
投入された貸出用記録媒体が使用禁止となっていないか前記データ管理装置の使用禁止情報を確認する使用可否確認手段と、使用禁止であった場合に、該貸出用記録媒体に記録された価値情報に基づく遊技ができないように使用抑止する使用抑止手段とを備えることができる。
【００２３】
前記媒体使用機器は、貸出用記録媒体の投入に基づき遊技媒体の払出を行う台間機、又は、投入された貸出用記録媒体の精算を行う精算機等、貸出用記録媒体を使用可能な機器で構成することを含む。
【００２４】
前記使用可否確認手段は、投入された貸出用記録媒体が使用禁止となっていないか通信手段で通信して前記データ管理装置へ問い合わせる制御手段で構成することを含む。  
前記使用抑止手段は、投入された貸出用記録媒体に基づいて遊技媒体の貸出しや精算を行わずに抑止する制御手段で構成することを含む。  
前記構成により、使用禁止した貸出用記録媒体の使用を確実に禁止することができる。
【００２５】
また、この発明の態様として、前記データ管理装置に、使用禁止となっている貸出用記録媒体が使用された場合に報知を行う報知手段を備えることができる。
【００２６】
前記報知手段は、液晶モニタやＣＲＴディスプレイといった表示装置、又はスピーカ等の発音装置等、報知できる手段で構成することを含む。
【００２７】
前記構成により、使用禁止した貸出用記録媒体が使用されたことを遊技ホールの係員が知ることができる。
【００２８】
またこの発明は、ユニークなＩＤ情報を格納した貸出用記録媒体を発行して、該貸出用記録媒体に付与されている価値情報に基づいて遊技機による遊技を許容する遊技ホールに設置し、前記貸出用記録媒体をデータ管理装置により管理する貸出用記録媒体管理システムであって、前記データ管理装置に、前記貸出用記録媒体に関する情報である媒体情報として該貸出用記録媒体の利用に関する利用情報と前記ＩＤ情報とを格納する記憶手段と、該記憶手段に記憶している媒体情報の中から使用禁止となっている媒体情報を特定する媒体情報特定手段と、特定した媒体情報に関して使用許可情報を登録する使用許可登録手段とを備えた貸出用記録媒体管理システムとすることができる。
【００２９】
前記使用許可登録手段は、データ管理装置の記憶手段に格納している媒体情報に使用許可情報を登録する処理を実行する制御手段、又は、他の装置に使用できる貸出用記録媒体としてＩＤ情報及び使用許可情報を登録させる処理を実行する制御手段等、登録処理を実行する手段で構成することを含む。
【００３０】
前記構成により、使用禁止された貸出用記録媒体を使用許可することができ、利用者が利用できるようにすることができる。
【発明の効果】
【００３１】
この発明により、立寄り客でも気軽に利用することができ、本人以外の者による貸出用記録媒体の使用を禁止できるような貸出用記録媒体管理システムを提供することができ、快適性と安全性とを向上して利用者の満足度を向上させることができる。
【発明を実施するための最良の形態】
【００３２】
この発明の一実施形態を以下図面と共に説明する。  
まず、図１に示すシステム構成図と共に、ＩＣコイン管理システム１のシステム構成について説明する。
【００３３】
ＩＣコイン管理システム１は、パチンコホールなどの遊技ホール（遊技娯楽施設）に構築する。
【００３４】
ＩＣコイン管理システム１には、販売機５、精算機６、管理コンピュータ（データ管理装置）７、台間機（遊技媒体貸出装置）１１、及び遊技台１２を、通信を中継するハブ（図示省略）を介して通信可能に接続して備えている。
【００３５】
また、管理コンピュータ７には、遠隔地のホストコンピュータ８を通信可能に接続している。
【００３６】
販売機５は、ＩＣコイン発行プログラム（ＰＧ）を格納しており、利用者の貨幣の投入に基づいてＩＣコインを払い出す際に、払い出すＩＣコインに発行機器ナンバー（販売機５又は台間機１１の個別機器ナンバー）及び発行日時や貸出し可能度数といったデータを書込む。
【００３７】
また前記ＩＣコイン発行プログラムは、発行するＩＣコインのシリアルナンバーや発行機器ナンバー、及び発行日時といったデータを、管理コンピュータ７に送信して、発行ＩＣコインを登録する処理も実行する。
【００３８】
精算機６は、ＩＣコイン精算プログラムを格納しており、遊技に使用されず残ったＩＣコインや、一部遊技に利用して貸し出し可能度数が減算されて返却したＩＣコインが利用者によって投入され、該投入されたＩＣコインを精算する。
【００３９】
また前記ＩＣコイン精算プログラムは、精算するＩＣコインが使用禁止になっていて使用不可となっていないか管理コンピュータ７に確認する精算可否確認処理、及び、精算したＩＣコインに関するデータを登録する精算ＩＣコイン登録処理を実行する。
【００４０】
管理コンピュータ７は、ＩＣコイン管理プログラムを格納しており、内蔵している記憶部のマスターデータベースによってＩＣコインの発行状況と使用状況を記憶し、一括管理している。
【００４１】
前記ＩＣコイン管理プログラムは、ＩＣコインの発行に関する記録、精算に関する記録、使用に関する記録、及び使用可否の設定といったデータを記録して管理している。また、使用可否の問合せに対して使用可否の応答をし、さらに使用不可のＩＣコインが不正利用されようとしていないか監視する処理も実行する。
【００４２】
ホストコンピュータ８は、遠隔地の第三者管理センタ−に備えており、例えば当日のみ使用可能な当日ＩＤコードを管理コンピュータ７に配信し、該管理コンピュータ７からＩＣコインの発行情報などを収集するといった処理を実行している。
【００４３】
台間機１１は、遊技台１２に隣接して複数台備えており、各台間機１１に個別の台間機ナンバーを割当て、同様に個別の遊技台ナンバーを割当てた遊技台１２と対応付けられるようにしている。
【００４４】
また台間機１１には、ＩＣコイン発行プログラム、及びＩＣコイン使用プログラムを格納しており、ＩＣコイン又は貨幣の投入を受け入れ、ＩＣコインの遊技媒体貸出し可能度数（価値情報）に基づいて遊技台１２へ払出し命令をし、遊技台１２より遊技媒体を払い出す。
【００４５】
ここで、前記ＩＣコイン発行プログラムは、前記販売機５に格納したＩＣコイン発行プログラムと同一の処理を実行する。  
また、前記ＩＣコイン使用プログラムは、ＩＣコインの遊技媒体貸出し可能度数（価値情報）から使用されたＩＣコインの使用度数分を減算させ、このときの使用度数や残度数、使用機器ナンバー（遊技台ナンバー）等のデータを管理コンピュータ７に登録する。
【００４６】
遊技台１２は、パチンコ機又はパチスロ機等の遊技用の装置であり、遊技媒体の投入によりパチンコゲーム又はパチスロゲームを許容し、遊技に応じて遊技媒体を払い出す。
【００４７】
以上のシステム構成により、利用者は販売機５でＩＣコインの発行を受け、該ＩＣコインを台間機１１に投入して使用することでパチンコ玉やメダルなどの遊技媒体を借り受け、該遊技媒体を使用して遊技することができる。
【００４８】
ＩＣコインの発行、使用、精算といった利用データは、管理コンピュータ７で管理されるため、後述するＩＣコインの使用禁止等も可能となる。
【００４９】
なお、販売機５を、貨幣の投入を受け付けて金種判別及び真偽判別を行う貨幣処理装置、利用者による金額選択入力や取消入力等の入力を許容する入力装置、ＩＣコインを払い出すＩＣコイン発行装置、貨幣の投入を受け付けてその遊技媒体貸出し可能度数を表示させ、ＩＣコインの発行度数や機器のエラーなどを表示させる表示装置、管理コンピュータ７と通信する通信装置、及びこれらを制御する制御装置で構成することは周知の通りである。
【００５０】
また、精算機６を、ＩＣコインの投入を受け付けて非接触でデータ読み込み処理を行う非接触通信装置、利用者の精算入力や取消入力といった入力を許容する入力装置、貨幣を払い出す貨幣払出装置、ＩＣコインの投入を受け付けてその遊技媒体貸出し可能度数や機器のエラーなどを表示させる表示装置、管理コンピュータ７と通信する通信装置、及びこれらを制御する制御装置で構成することは周知の通りである。
【００５１】
また、管理コンピュータ７を、ＣＲＴモニタ又は液晶モニタで構成する表示装置、キーボード及びマウスで構成する入力装置、ハードディスクで構成する記憶装置、ＬＡＮボードで構成する通信装置、記録媒体読書きドライブで構成する記録媒体処理装置、及びこれらを制御する制御装置を有するコンピュータで構成することは周知のとおりである。
【００５２】
また、台間機１１を、貨幣の投入を受け付けて金種判別及び真偽判別を行う貨幣処理装置、利用者による使用金額選択入力や取消入力等の入力を許容する入力装置、ＩＣコイン２０とデータ通信して残度数の変更等を行う非接触通信装置、該減度数に基づいて遊技媒体を払い出す遊技媒体払出装置、管理コンピュータ７と通信する通信装置、及びこれらを制御する制御装置で構成することは周知の通りである。
【００５３】
次に、図２に示すブロック図と共に、ＩＣコイン２０の構成について説明する。  
ＩＣコイン２０は、ＣＰＵ２１、ＲＯＭ２２、ＲＡＭ２３、ＥＥＰＲＯＭ２４、変復調器２５、電源回路２６、及びアンテナ２７で構成している。
【００５４】
ＣＰＵ２１は、ＲＯＭ２２に格納されたプログラムによって各回路装置を駆動制御する。  
ＲＯＭ２２は、不揮発性でデータの書込みが不可能であり、駆動制御に必要なプログラムを記録する。
【００５５】
ＲＡＭ２３は、揮発性でデータの消去、再書込みが可能であり、動作に必要なデータを記録する。  
ＥＥＰＲＯＭ２４は、不揮発性でデータの消去、再書込みが可能であり、後述するＩＣコインデータを格納している。
【００５６】
変復調器２５は、前記アンテナ２７と共に通信手段を構成し、販売機５、精算機６、台間機１１に備えたそれぞれのＩＣコイン処理装置と非接触状態でデータの送受信を実行する。
【００５７】
電源回路２６は、アンテナ２７に信号を受信した時の起電力により電力を発生し、各回路に供給する.
以上の構成により、ＩＣコイン２０はデータを記録し、非接触通信によるデータの読書きの許容ができる。従って、例えば磁気カードのように磁気ヘッドまで搬送するといった必要がなく、搬送時間を削減して高速処理を行うことができ、高速な読み込み、書き出しが可能となる。
【００５８】
なお、ＩＣコイン２０の外観は、合成樹脂で偏平な円盤状に形成し、表裏両面は印刷面に設定して、例えば定額の「１０００円」の金額価値を示す文字、及びコイン番号を印刷（または刻設）する。ここで、上記金額価値はこれに限定されるものではなく、他の金額価値としても良い。
【００５９】
次に、図３に示すデータ説明図と共に、ＩＣコイン２０のＥＥＰＲＯＭ２４に格納するＩＣコインデータ２９、及び、管理コンピュータ７に格納するＩＣコイン履歴データ３０について説明する。
【００６０】
図３の（Ａ）に示すＩＣコインデータ２９は、コイン番号、ホールナンバー、当日ＩＤ、貸出し可能度数、発行日付、島ナンバー、機器ナンバー、及びＳＵＭの項目で構成する。
【００６１】
コイン番号は、ＩＣコイン２０に固有の情報として付与したユニークな番号であるシリアルナンバーを格納する。  
ホールナンバーは、遊技ホール毎に付けた番号を格納する。
【００６２】
当日ＩＤは、当日の暗証データを格納する。  
貸出し可能度数は、遊技媒体の貸出し可能な度数である。  
発行日付は、ＩＣコイン２０を発行した当日の日付データを格納する。
【００６３】
島ナンバーは、ＩＣコイン２０を発行した台間機１１の所属する中継機（図示省略）の番号を格納する。なお、販売機５で発行されたＩＣコイン２０の場合は、ＩＣコイン２０の販売機５の所属する中継機（図示省略）の番号を格納する。
【００６４】
機器ナンバーは、ＩＣコイン２０を発行した台間機１１の台間機ナンバーを格納する。なお、販売機５で発行されたＩＣコイン２０の場合は、ＩＣコイン販売機５の販売機ナンバーを格納する。  
前記ＳＵＭは、データの正誤をチェックするデータチェックサムで構成する。
【００６５】
図３の（Ｂ）に示すＩＣコイン履歴データ３０は、前述の管理コンピュータ７の記憶部に格納してＩＣコインの利用の履歴を管理するデータであり、ＩＣコイン２０のコイン番号、利用日付及び時刻、発行機器ナンバー、遊技台ナンバー、発行度数、使用度数、残度数、ＩＣコイン状態フラグ、ＩＣコイン禁止日付、及び時刻のデータ項目で構成する。
【００６６】
コイン番号は、利用者に発行したＩＣコイン２０のシリアルナンバーを格納する。  
利用日付は、利用者がＩＣコイン２０を利用（購入、使用、精算等）した日付を格納する。
【００６７】
利用時刻は、利用者がＩＣコイン２０を利用した時刻を格納する。  
発行機器ナンバーは、利用者にＩＣコイン２０を発行した機器番号（台間機１１又は台間機１１を特定する番号）を格納する。  
遊技台ナンバーは、利用者が遊技した遊技台１２の台番号を格納する。
【００６８】
発行度数は、利用者にＩＣコイン２０を発行した時の遊技媒体貸出し可能度数を格納する。  
使用度数は、利用者がパチンコ玉やメダルなどの遊技媒体を使用した使用度数（払出し度数）を格納する。
【００６９】
なお、遊技した遊技台１２の台番号は、台間機１１と遊技台１２とが対応しているため、これらの関係をテーブルデータとして管理コンピュータ７の記憶装置に記憶しており、これにより台間機１１番号から遊技台１２番号を割り出すことができる。
【００７０】
残度数は、利用者が使用せずに残った遊技媒体貸出し可能度数を格納する。  
ＩＣコイン状態フラグは、ＩＣコイン２０が使用可能か禁止されているかを示すフラグであり、使用可能（使用許可）であれば０、使用不可（使用禁止）であれば1を格納する。
【００７１】
ＩＣコイン禁止日付は、遊技ホールの係員によってＩＣコイン２０を禁止した日付を格納する。  
ＩＣコイン禁止時刻は、遊技ホールの係員によってＩＣコイン２０を禁止した時刻を格納する。
【００７２】
以上に説明したＩＣコイン履歴データ３０により、遊技ホール内でのＩＣコイン２０の利用履歴を管理することができ、不正使用の防止を図ることができる。
【００７３】
次に、図４に示す処理フロー図、及び図５〜図１１の画面イメージ説明図と共に、管理コンピュータ７の制御装置がＩＣコイン管理プログラムに基づいて実行するＩＣコイン使用可否設定処理の動作について説明する。
【００７４】
このＩＣコイン使用可否設定処理は、利用者がＩＣコインを紛失した場合等に行う処理であり、第三者に使用されない為に行うＩＣコイン使用禁止処理と、紛失したＩＣコインが発見された場合に行うＩＣコイン使用許可処理で構成している。
【００７５】
まず処理の前提として、利用者からＩＣコイン２０を紛失等したことを申告された遊技ホールの係員は、まず紛失等したＩＣコイン２０の利用情報（若しくは紛失に関する紛失関連情報）を利用者からヒアリングする。
【００７６】
ここで利用情報とは、発行機器ナンバー、遊技台ナンバー、使用日付、使用時間、発行度数、使用度数、残度数を指す。特に発行機器ナンバー、遊技台ナンバーは何れか１つが分かるだけでもよく、使用時間、発行度数、使用度数、残度数については、利用者が覚えている範囲でよい。
【００７７】
また、ＩＣコイン２０が発見された時の本人照合のために、ＩＣコインを紛失した利用者の名前等を控えておく。
【００７８】
管理コンピュータ７は、係員の操作に基づいて図５の画面イメージ図に示すＩＣコイン使用メニュー画面３１を表示し（ステップｎ１）、係員にＩＣコイン２０の使用禁止と使用許可の何れの処理を実行するか選択させる（ステップｎ２）。
【００７９】
この選択は、画面上の「ＩＣコイン使用を禁止する」ボタン３１ａと、「ＩＣコイン使用を許可する」ボタン３１ｂとを押下させることにより選択させる。
【００８０】
係員によって「ＩＣコイン使用を禁止する」ボタン３１ａが押下されると、管理コンピュータ７は、図６の画面イメージ図に示す検索条件入力画面３２を表示し（ステップｎ３）、係員に前記利用者からヒアリングした前記ＩＣコイン２０の利用情報を入力させる（ステップｎ４）。
【００８１】
ここで、検索条件入力画面３２には、販売機５や台間機１１といったＩＣコイン２０の発行を行った機器の番号を入力させる発行機器ナンバー入力部３２ａ、遊技された遊技機の台番号を入力させる遊技台ナンバー入力部３２ｂ、利用日付入力部３２ｃ、利用時間誤差入力部３２ｄ、利用時間入力部３２ｅ、発行度数入力部３２ｆ、使用度数入力部３２ｇ、残度数入力部３２ｈ、「検索開始」ボタン３２ｊ、「検索中止」ボタン３２ｋ、「戻る」ボタン３２ｍを備えている。
【００８２】
各入力項目のうち、特に発行機器ナンバー・遊技台ナンバーは何れか１つの入力でもよく、利用時間、発行度数、使用度数、残度数については任意で入力すればよいように設定している。
【００８３】
前記管理コンピュータ７は、入力されたデータ（条件）を元に、該当するＩＣコイン２０を管理コンピュータ７内のデータベース（複数のＩＣコイン２０についてのＩＣコイン履歴データ３０を格納）から検索する（ステップｎ５）。
【００８４】
該当するＩＣコイン履歴データ３０があった場合は（ステップｎ６）、図７の検索結果一覧表示画面（使用禁止画面）３３に示すようにＩＣコイン履歴データ３０の一部を画面上に表示する(ステップｎ７)。
【００８５】
ここで表示するＩＣコイン履歴データ３０の一部は、ＩＣコイン２０のコイン番号、利用日時、遊技された遊技台ナンバー、利用者に発行した発行度数（利用者が購入した際の購入度数）、利用者が使用した使用度数、現在残っている残度数等としている。
【００８６】
係員によって、利用者からヒアリングした内容に基づき利用者が紛失したＩＣコイン２０がカーソル３３ａで選択され、「使用禁止」ボタン３３ｂが押下されると（ステップｎ８）、選択されたＩＣコイン履歴データ３０のＩＣコイン状態フラグ（図３の（Ｂ））に「１」を格納して使用を禁止する（ステップｎ９）。
【００８７】
前記管理コンピュータ７は、図８に示す使用禁止画面３４を表示し（ステップｎ１０）、表示しているＩＣコイン２０が使用禁止されたことを通知する。
【００８８】
前記ステップｎ６で該当するＩＣコイン２０がなかった場合は、図９に示す使用禁止画面３４を表示し（ステップｎ１１）、該当するＩＣコイン２０がないことを通知する。
【００８９】
ここまでの動作により、係員はＩＣコイン２０を使用禁止することができる。  
なお、検索条件入力画面３２（図６）でサブメニューを変更したい係員により、「戻る」ボタン３２ｍが押下されると、管理コンピュータ７は画面をＩＣコイン使用メニュー画面３１（図５）に戻す。
【００９０】
また、検索条件入力画面３２（図６）で検索をやめたい係員によって、「検索中止」ボタン３２ｋが押下されると、管理コンピュータ７は検索を中止する。
【００９１】
また、検索結果を表示している各画面（図７，９）で検索をやり直したい係員によって、「戻る」ボタン３３ｃ，３４ａが押下されると、管理コンピュータ７は画面を検索条件入力画面３２（図６）に戻す。
【００９２】
これにより、係員は条件を変更して何度でも検索することができる。ＩＣコイン２０の使用を禁止した後、ホールの係員によって「戻る」ボタン３３ｃが押下されると、管理コンピュータ７は画面をＩＣコイン使用メニュー画面３１（図５）に戻す。
【００９３】
前記ステップｎ２で「ＩＣコイン使用を許可する」ボタン３１ｂが押下された場合は、ＩＣコイン使用許可処理（ステップｎ１２〜ｎ１５）を実行する。
【００９４】
管理コンピュータ７は、図１０の画面イメージ図に示すように、禁止中ＩＣコイン一覧画面（使用許可画面）３５を表示する（ステップｎ１２）。
【００９５】
この禁止中ＩＣコイン一覧画面３５にて、遊技ホールの係員は予め控えておいたＩＣコインを紛失した利用者の名前等、ＩＣコイン２０の発行を受けた利用者とわかる情報と、その発行を受けた利用者が紛失等したＩＣコイン２０のコイン番号が合っているかを目視等にて確認する。
【００９６】
係員によって、カーソル３５ａで該当するＩＣコイン履歴データ３０が選択され、「使用許可」ボタン３５ｂが押下されると（ステップｎ１３）、管理コンピュータ７は該当するＩＣコイン状態フラグ（図３の（Ｂ））に「０」を格納し、使用許可する（ステップｎ１４）。
【００９７】
前記管理コンピュータ７は、図１１の画面イメージ図に示す使用許可画面３６を表示し（ステップｎ１５）、使用許可したＩＣコイン２０を通知する。
【００９８】
以上の動作により、ＩＣコイン２０の使用可否を任意のタイミングで設定変更することができる。これにより、利用者がＩＣコイン２０の紛失に気付いた時、すぐに使用禁止を行うことができると共に、紛失したと思っていたＩＣコイン２０が発見できれば、いつでも使用許可することができる。
【００９９】
なお、禁止中ＩＣコイン一覧画面３５（図１０）でサブメニューを変更したい係員により、「戻る」ボタン３５ｃが押下されると、管理コンピュータ７は画面をＩＣコイン使用メニュー画面３１（図５）に戻す。
【０１００】
また、ＩＣコイン２０の使用を許可した後、ホールの係員によって使用許可画面３６上の「戻る」ボタン３６ａが押下されると、管理コンピュータ７は画面をＩＣコイン使用メニュー画面３１（図５）に戻す。
【０１０１】
次に、図１２〜図１４に示す処理フロー図と共に、台間機１１を例に、使用禁止されているＩＣコイン２０の不正使用を排除する使用可否確認処理、使用可否応答処理、及び使用監視処理について説明する。
【０１０２】
まず図１２と共に使用可否確認処理について説明すると、利用者によって台間機１１にＩＣコイン２０が投入されると（ステップｐ１）、台間機１１の制御装置は、非接触通信装置によりＩＣコイン２０に格納しているＩＣコインデータ２９（図３の（Ａ））を読み取る（ステップｐ２）。
【０１０３】
台間機１１は、読み取ったＩＣコインデータ２９を通信装置により管理コンピュータ７へ送信し（ステップｐ３）、管理コンピュータ７からＩＣコイン２０の使用可否を受信する（ステップｐ４）。
【０１０４】
受信したデータがＩＣコイン使用不可（使用禁止）であれば（ステップｐ５）、使用禁止中のＩＣコイン２０が使用されようとしたことを、台間機１１のランプ表示等で表示する（ステップｐ６）。
【０１０５】
またこのとき、使用禁止されていて不正使用されようとしているＩＣコイン２０のコイン番号と台間機１１の機器ナンバー（台間機ナンバー）とを管理コンピュータ７に通知（送信）し（ステップｐ７）、台間機１１をエラー処理にて停止させる（ステップｐ８）。  
このとき、ＩＣコイン２０は台間機１１に投入された状態で、利用者は取り出しできない状態とする。
【０１０６】
ホールの係員により台間機１１の係員用操作装置が操作されてエラー解除されると、台間機１１は通常状態へ以降してＩＣコイン２０の取り出しも可能とする（ステップｐ９）。
【０１０７】
このとき係員は、不正使用されようとしたＩＣコイン２０を、台間機１１内に格納している他の正常ＩＣコイン２０等と混ざることなく回収することができる。
【０１０８】
前記ステップｐ５でＩＣコイン２０が使用禁止されていなかった場合には、台間機１１は隣接した遊技台１２にデータ送信し、該遊技台１２の表示部にＩＣコイン２０の残度数を表示させる（ステップｐ１０）。
【０１０９】
利用者によって遊技台１２の玉貸しボタン（入力装置）が押下されると（ステップｐ１１）、台間機１１はその信号を受け取ってＩＣコイン２０の残度数を減算処理する（ステップｐ１２）。
【０１１０】
次に、図１３に示す処理フロー図と共に、管理コンピュータ７が前記ステップｐ３（図１２）にて台間機１１から送信されたデータを受信し、前記ステップｐ４へデータを返信するまでの使用可否応答処理について説明する。
【０１１１】
管理コンピュータ７は、台間機１１より送信されたＩＣコインデータ２９を受信し（ステップｒ１）、その受信したＩＣコインデータ２９を元にデータベースから該当するＩＣコイン履歴データ３０（図３の（Ｂ））を特定する（ステップｒ２）。
【０１１２】
特定されたＩＣコイン履歴データ３０のＩＣコイン状態フラグが１でなければ（ステップｒ３）、台間機１１に使用可能のデータを送信する（ステップｒ４）。
【０１１３】
一方、前記ステップｒ３で特定されたＩＣコイン履歴データ３０のＩＣコイン状態フラグが１であれば、台間機１１に使用不可（使用禁止）のデータを送信する（ステップｒ５）。
【０１１４】
この動作により、管理コンピュータ７は自己の管理しているＩＣコイン履歴データ３０に基づいて使用可否の返答を随時正確に行うことができる。
【０１１５】
次に、図１４に示す処理フロー図と共に、管理コンピュータ７が前記ステップｐ７（図１２）にて台間機１１から送信されたデータを受信して行う使用監視処理の動作について説明する。
【０１１６】
管理コンピュータ７は、台間機１１から使用禁止されたＩＣコイン２０が使用されようとしたという不正利用通知を受けると（ステップｓ１）、図１５の画面イメージ図に示すように、ＩＣコイン使用監視画面３７に、警告メッセージ３７ｂを表示する（ステップｓ２）。
【０１１７】
このとき、一覧表示部３７ａには、使用禁止中のＩＣコイン２０が使用されようとした台間機１１に接続されている遊技台１２の台番号、障害内容、及び発生した発生時刻を表示する。
【０１１８】
以上の動作により、遊技ホールの係員は、管理コンピュータ７のＩＣコイン使用監視画面３７を見て、不正使用されたことを知ることができる。
【０１１９】
従ってホールの係員は、使用禁止中のＩＣコイン２０を使おうとした不正使用者が、前記ＩＣコイン２０を使用できないことでの代価を要求したような場合であっても、不正使用であることを確実に指摘でき、ホールの損益発生を回避することができる。
【０１２０】
なお、この実施形態では台間機１１で使用可否確認処理を説明したが、精算機６でも同様の使用可否確認処理を行なうことが望ましい。この場合は、不正使用による精算も防止することができる。
【０１２１】
また、検索条件入力画面３２で各項目に入力を行い、該当するＩＣコイン２０の利用情報を検索する構成ではなく、利用日付や発行機器ナンバー（若しくは遊技台ナンバー）の順に一覧表示を行なう構成としても良い。
【０１２２】
この場合、利用者からヒアリングにより得た情報に一致するＩＣコイン２０の利用情報を係員が選択することで、紛失等したＩＣコイン２０を特定して使用禁止することができる。
【０１２３】
この発明の構成と、上述の実施形態との対応において、
この発明の貸出用記録媒体管理システムは、実施形態のＩＣコイン管理システム１に対応し、
以下同様に、
データ管理装置は、管理コンピュータ７に対応し、
記憶手段は、管理コンピュータ７の記憶装置に対応し、
入力手段は、管理コンピュータ７の入力装置に対応し、
遊技機は、遊技台１２に対応し、
貸出用記録媒体は、ＩＣコイン２０に対応し、
媒体情報は、ＩＣコイン履歴データ３０に対応し、
利用情報は、ＩＣコイン履歴データ３０の利用日付、利用時刻、発行機器ナンバー、遊技台ナンバー、発行度数、使用度数、残度数に対応し、
使用禁止情報は、ＩＣコイン履歴データ３０のＩＣコイン状態フラグに格納する「１」に対応し、
利用日付情報は、ＩＣコイン履歴データ３０の利用日付に対応し、
利用装置情報は、ＩＣコイン履歴データ３０の発行機器ナンバー及び遊技台ナンバーに対応し、
利用時刻情報は、ＩＣコイン履歴データ３０の利用時刻に対応し、
発行度数は、ＩＣコイン履歴データ３０の発行度数に対応し、
使用度数は、ＩＣコイン履歴データ３０の使用度数に対応し、
発行機器情報は、ＩＣコイン履歴データ３０の発行機器ナンバーに対応し、
使用機器情報は、ＩＣコイン履歴データ３０の遊技台ナンバーに対応し、
媒体情報特定手段は、ステップｎ４〜ｎ８を実行する管理コンピュータ７の制御装置に対応し、
使用禁止登録手段は、ステップｎ８，ｎ９を実行する管理コンピュータ７の制御装置、入力装置、及び記憶装置に対応し、
ＩＤ情報は、コイン番号に対応し、
価値情報は、貸出し可能度数に対応するも、
この発明は、上述の実施形態の構成のみに限定されるものではなく、多くの実施の形態を得ることができる。
【図面の簡単な説明】
【０１２４】
【図１】ＩＣコイン管理システムのシステム構成図。
【図２】ＩＣコインの構成を示すブロック図。
【図３】ＩＣコインデータ及びＩＣコイン履歴データのデータ説明図。
【図４】管理コンピュータ７によるＩＣコイン使用可否設定処理の処理フロー図。
【図５】ＩＣコイン使用メニュー画面の画面イメージ図。
【図６】検索条件入力画面の画面イメージ図。
【図７】検索結果一覧表示画面の画面イメージ図。
【図８】使用禁止画面の画面イメージ図。
【図９】使用禁止画面の画面イメージ図。
【図１０】禁止中ＩＣコイン一覧画面の画面イメージ図。
【図１１】使用許可画面の画面イメージ図。
【図１２】管理コンピュータ７による使用可否確認処理の処理フロー図。
【図１３】管理コンピュータ７による使用可否応答処理の処理フロー図。
【図１４】管理コンピュータ７による使用監視処理の処理フロー図。
【図１５】ＩＣコイン使用監視画面の画面イメージ図。
【符号の説明】
【０１２５】
１…ＩＣコイン管理システム
７…管理コンピュータ
１２…遊技台
２０…ＩＣコイン
３０…ＩＣコイン履歴データ
【図１】
2005323915.tif 000003
【図２】
2005323915.tif 000004
【図３】
2005323915.tif 000005
【図４】
2005323915.tif 000006
【図５】
2005323915.tif 000007
【図６】
2005323915.tif 000008
【図７】
2005323915.tif 000009
【図８】
2005323915.tif 000010
【図９】
2005323915.tif 000011
【図１０】
2005323915.tif 000012
【図１１】
2005323915.tif 000013
【図１２】
2005323915.tif 000014
【図１３】
2005323915.tif 000015
【図１４】
2005323915.tif 000016
【図１５】
2005323915.tif 000017